(57)【要約】【課題】  本発明は、照準望遠鏡の鏡筒内に、ＬＥＤ照明と光学半透過薄板ガラスを設けてレチクル上に照明ドットを投影するようにした照準望遠鏡のレチクル機構を提供すること。【解決手段】  照準望遠鏡の第１焦点面と第２焦点面の各位置に視準用マークを現すようにした照準望遠鏡であって、第１焦点面と第２焦点面の視準用マークの中心が望遠鏡の光軸と重なるように、かつ第１焦点面のガラスレチクルが正立レンズ系の光軸の中心と重なるようにセットし、第２焦点面の近傍にＬＥＤ照明を備え、このＬＥＤ照明の照明光の光軸方向前方に絞り用小孔を形成した調整筒を設置し、第２焦点面の近傍に光学半透過薄板ガラスを望遠鏡の光軸方向に対して傾斜するように設置し、前記調整筒の絞り用小孔を通過したＬＥＤ照明の照明光が、第２焦点面に投影される、第１焦点面の反転実像と重なるように構成したことを特徴とする。【選択図】図１
2015132739.tif 000002
【特許請求の範囲】
【請求項１】
照準望遠鏡内における望遠鏡の光軸方向から見て正立レンズ系の前側の焦点位置に第１焦点面を形成し、照準望遠鏡内における望遠鏡の光軸方向から見て正立レンズ系の後ろ側の焦点位置に第２焦点面を形成し、この第１焦点面と第２焦点面の各位置に視準用マークを現すようにした照準望遠鏡であって、
第１焦点面と第２焦点面の視準用マークの中心が望遠鏡の光軸と重なるように、かつ第１焦点面のガラスレチクルが正立レンズ系の光軸の中心と重なるようにセットし、
第２焦点面の近傍にＬＥＤ照明を備え、このＬＥＤ照明の照明光の光軸方向前方に絞り用小孔を形成した調整筒を設置し、
第２焦点面の近傍に光学半透過薄板ガラスを望遠鏡の光軸方向に対して傾斜するように設置し、
前記調整筒の絞り用小孔を通過したＬＥＤ照明の照明光が、第２焦点面に投影される、第１焦点面の反転実像と重なるように構成したことを特徴とする照準望遠鏡のレチクル機構。
【請求項２】
前記の望遠鏡の光軸方向に対して傾斜するように設置された光学半透過薄板ガラスは、照準望遠鏡の対物レンズ系側からの入射光を接眼レンズ系側に透過させる性質を有し、かつＬＥＤ照明から発せられる照明光を乱反射させることなく接眼レンズ系側に反射させる性質を有していることを特徴とする請求項１記載の照準望遠鏡のレチクル機構。
【請求項３】
前記ＬＥＤ照明にはＯＮ，ＯＦＦの切り換えスイッチが備えられていることを特徴とする請求項１又は２記載の照準望遠鏡のレチクル機構。
【発明の詳細な説明】
【技術分野】
【０００１】
本発明は、弾着調整装置を有する射撃用の照準望遠鏡に装着されるレチクル機構に関し、さらに詳しくは照準望遠鏡の鏡筒内に、ＬＥＤ照明と光学半透過薄板ガラスを設けてレチクル上に照明ドットを投影するようにした照準望遠鏡のレチクル機構に関する。
【背景技術】
【０００２】
一般に射撃用の照準望遠鏡は、図１に示すように、対物レンズ系、正立レンズ系、接眼レンズ系の３つのレンズ要素で構成されている。
ここで目標物に照準を合わせるための目印となるレチクルは、正立レンズ系の前側の焦点位置に設置されるものと、正立レンズ系の後側の焦点位置に設置されるものとの２方式があり、いずれかの方式のみを採用するレチクル機構のほか、この２方式を併用するレチクル機構も存在している。
【０００３】
正立レンズ系の前側の焦点位置にレチクルを設置する方式は、第１焦点面レチクルシステムと称され、後側の焦点位置にレチクルを設置する方式は、第２焦点面レチクルシステムと称される。
この第１、第２焦点面レチクルシステムで使用される照明レチクルにおいては、レチクルを照射する光源としてＬＥＤ（発光ダイオード）照明を使用し、透明ガラス板からなるレチクル板をレチクルとして使用するものが一般的に知られている。
【０００４】
従来のＬＥＤ照明を使用した透明ガラス板のレチクルは、レチクル板の表面に視準用マーク（例えば十字線等からなる）を形成し、その視準用マーク位置を凹部に形成し、その凹部に反射用塗料を充填塗布し、その反射用塗料にＬＥＤ照明の照明光を照射してレチクルパターンを光らせるものであった。
しかし、このレチクルにおいては、ＬＥＤ照明の照明光を消した後も、そのレチクルの視準用マークの形はレチクル板の表面に視認できる状態で残るため、その視準用マークを使用する必要がない場合には、その視準用マークが邪魔になるものであった。
【先行技術文献】
【特許文献】
【０００５】
【特許文献１】特開平７−１１３９６０号公報
【発明の概要】
【発明が解決しようとする課題】
【０００６】
従来のレチクル照明機構は、ＬＥＤ照明で透明ガラス板レチクルの反射用塗料を光らせる際に、透明ガラス板のレチクルの外周面と透明ガラス板を保持する鏡筒枠の内周面間でハレーションを起してしまい、そのハレーションの光が対物レンズを通して目標物方向に洩れ出てしまうことがあった。
【０００７】
レチクルの視準用マークを見易くするためには、一般的には、視準用マークに強い照明光を照射する必要があるが、この照明光の明るさを強くすればするほど上記のハレーションの発生を一層増加させることにつながるため、その兼ね合いが難しい問題となっていた。
【０００８】
さらにハンティングの現場では、周囲の変化に敏感に反応する小鳥のような小動物は、照準望遠鏡から洩れ出たわずかな光を察知して射撃前に逃避してしまい、射撃のチャンスを失うという問題も起きていた。
本発明は、上記したハレーションの発生を防止するため、ＬＥＤ照明の照明光を絞り込む構成と、光学半透過薄板ガラスを傾斜状に設置する構成の照準望遠鏡のレチクル機構を提案するものである。
【０００９】
また従来のガラス板のレチクルに反射用塗料を塗布した第１焦点面レチクルの照準望遠鏡では、正立ズームの倍率が低倍率（１×）のときには、照射されて光っている視準用マークが小さく見づらいという傾向にある。一方、倍率を高倍率に変倍すると、光っている視準用マークも同時に、拡大変化して視準用マークとしては好ましくないものであった。
【００１０】
本発明は、倍率の変倍の前後で、第２焦点面位置に常時大きさが変化しない照明ドット（光るマーキング）を形成することができ、射撃の照準合わせ時に照明が不要の場合にはその照明ドットが視界に現われないようにすることができるレチクル機構であって、この照明ドットを利用するとともに光学半透過薄板ガラスを光軸に対して傾斜状に設置することで、第１焦点面の視準用マーク位置に現われる反転実像と第２焦点面の視準用マーク位置に現れる照明ドットを同時に視認できるように構成し、第１焦点面レチクルの見易さを向上させる照準望遠鏡のレチクル機構を提供することも目的としている。
【００１１】
また従来の照準望遠鏡においては、ガラス板のレチクルの視準用マークの中心に照明ドットがある場合、目標物の周辺環境が暗いときは、その照明ドットは目標物の判別に有効であるものの、目標物の周辺環境が明るいときで、かつ倍率が高倍率のときは、その照明ドットが視準用マークの中心をさえぎり、目標物の視野が妨げられ、微細な照準合わせを困難にするという問題があった。
本発明は、目標物の周辺環境が暗いときの照準時には、照明ドットを視準用マークの中心に形成し、逆に明るくて照明ドットが不要であるときは、照明ドットを消すことで、視準用マークの視認性を向上させることを目的としている。
【課題を解決するための手段】
【００１２】
本発明に係る照準望遠鏡のレチクル機構の請求項１のものは、照準望遠鏡内における望遠鏡の光軸方向から見て正立レンズ系の前側の焦点位置に第１焦点面を形成し、照準望遠鏡内における望遠鏡の光軸方向から見て正立レンズ系の後ろ側の焦点位置に第２焦点面を形成し、この第１焦点面と第２焦点面の各位置に視準用マークを現すようにした照準望遠鏡であって、
第１焦点面と第２焦点面の視準用マークの中心が望遠鏡の光軸と重なるように、かつ第１焦点面のガラスレチクルが正立レンズ系の光軸の中心と重なるようにセットし、
第２焦点面の近傍にＬＥＤ照明を備え、このＬＥＤ照明の照明光の光軸方向前方に絞り用小孔を形成した調整筒を設置し、
第２焦点面の近傍に光学半透過薄板ガラスを望遠鏡の光軸方向に対して傾斜するように設置し、
前記調整筒の絞り用小孔を通過したＬＥＤ照明の照明光が、第２焦点面に投影される、第１焦点面の反転実像と重なるように構成したことを特徴とする照準望遠鏡のレチクル機構である。
【００１３】
本発明に係る照準望遠鏡のレチクル機構の請求項２のものは、前記の望遠鏡の光軸方向に対して傾斜するように設置された光学半透過薄板ガラスは、照準望遠鏡の対物レンズ系側からの入射光を接眼レンズ系側に透過させる性質を有し、かつＬＥＤ照明から発せられる照明光を乱反射させることなく接眼レンズ系側に反射させる性質を有していることを特徴とする請求項１記載の照準望遠鏡のレチクル機構である。
【００１４】
本発明に係る照準望遠鏡のレチクル機構の請求項３のものは、前記ＬＥＤ照明にはＯＮ，ＯＦＦの切り換えスイッチが備えられていることを特徴とする請求項１又は２記載の照準望遠鏡のレチクル機構である。
【発明の効果】
【００１５】
請求項１及び２記載の照準望遠鏡のレチクル機構は、第２焦点面の近傍に設置した光学半透過薄板ガラスには、視準用マークに凹部が形成されておらず又反射用塗料も塗布されていないこと、及び第２焦点面の近傍に設置した光学半透過薄板ガラスは望遠鏡の光軸に対して傾斜するように設置されていることより、ＬＥＤ照明の照明光が照準望遠鏡内で乱反射することを防止することができるという効果が発揮される。
このため、必要な場合には、ＬＥＤ照明の照明光を強く光らせることができ、その場合でも目標物に対して、不用意な光漏れを発生させないという効果が期待できる。
【００１６】
また第２焦点面の近傍に設置した光学半透過薄板ガラスには照明ドットを形成することができるため、
第１焦点面と第２焦点面の視準用マーク及び第２焦点面に反射される、第１焦点面の反転実像の視認性はもとより、第１焦点面の視準用マークの視認性を向上させることもできるという効果が発揮できる。
【００１７】
さらに請求項３記載の照準望遠鏡のレチクル機構は、目標物の周辺環境が明るくて、照明ドットを必要としない場合には、照明ドットを視界から消すこともできるなどの効果が発揮される。
【図面の簡単な説明】
【００１８】
【図１】本発明に係る照準望遠鏡のレチクル機構の、縦断正面図である。
【図２】同照準望遠鏡のレチクル機構の要部の、縦断正面図である。
【図３】ＬＥＤ照明の電源部付近の、縦断正面図である。
【図４】第１焦点面のガラスレチクルの視準用マークの正面図で、Ａは低倍率時の視準用マークの状態図、Ｂは高倍率時の視準用マークの状態図である。
【図５】第２焦点面の視準用マークに投影される、第１焦点面の反転実像の正面図で、Ａは低倍率時の視準用マークの状態図、Ｂは高倍率時の視準用マークの状態図である。
【発明を実施するための形態】
【００１９】
以下、図面を参照して本発明の照準望遠鏡のレチクル機構の実施の形態を説明するが、本発明はこれらの実施の形態に制限されるものではない。
【００２０】
図１及び図２の照準望遠鏡は、本発明に係るレチクル機構を説明するためのもので、目標物３３を射手が正確に視認するために構成されており、望遠鏡の光軸２３に沿って、目標物３３の像が最終的に、第２焦点面に結像するようになっている。
【００２１】
目標物３３の像は、鏡筒３に備えられた対物レンズ１、第２対物レンズ２、を経て第１焦点ガラスレチクル４の第１焦点面２８に反転実像として現われる。
この第１焦点ガラスレチクルには視準用マーク３１が設けられており、その視準用マーク３１の中心は図４のＡ，Ｂに示される状態で視認されることとなる。
【００２２】
第１焦点面２８の反転実像は、集光レンズ５、正立レンズ６、固定正立レンズ７を経て第２焦点面２９に正立実像として現われる。射手は、この第２焦点面２９に現われた正立実像を確認して、目標物３３への狙いを定める。
図中の符号８は、照準望遠鏡の倍率を変化させる際に回動させるカム筒であり、９は正立レンズを保持する正立筒であり、１６は第２接眼レンズ、１７は接眼レンズである。この第２接眼レンズ１６と接眼レンズ１７は、照準望遠鏡の接眼枠１８を介して、接眼筒２７に保持されている。
【００２３】
さらに符号Ｌ１は対物レンズ系、符号Ｌ２は正立レンズ系、符号Ｌ３は接眼レンズ系を示している。
照準望遠鏡の倍率を変化させる際には、倍率変換用の筒（本発明では、分角筒１０が相当する）などを操作して、正立レンズ系Ｌ２の移動レンズを光軸方向に移動させて、倍率変換を行う。この倍率変換を行っても、第２焦点面２９に現われる正立実像のピントは変わらないように第１焦点レチクル４は正しい光軸方向位置に配設されている。
また倍率変換時には、第１焦点面２８の視準用マーク３１の中心が第２焦点面２９内で照準望遠鏡の径方向に移動することがないよう、レチクルは正しい位置に配置されている。
【００２４】
本発明では、第１焦点面２８と第２焦点面２９の視準用マークの中心が望遠鏡の光軸２３と重なるように、かつ第１焦点面２８のガラスレチクル４が正立レンズ系の光軸の中心と重なるように、ガラスレチクル４と正立レンズ系Ｌ２を正しい位置にセットする。正立レンズ系Ｌ２は、照準望遠鏡の倍率変換時に光軸方向に接離するように移動するので、その倍率変換操作時に第１焦点面２８の視準用マーク３１の中心と、第２焦点面２９の視準用マーク３２の中心とが不一致とならないようにセットされる必要がある。
【００２５】
なお、第１焦点面２８の視準用マーク３１はガラスレチクル４に直接表示されており、その中心は直接表示された通りにそのまま特定される。
第２焦点面２９の視準用マーク３２とは、第１焦点面２８の視準用マーク３１が正立レンズ系Ｌ２を経由して第２焦点面２９位置で結像した像を照明ドットの絞り用小孔２５の反射像の重なり合いとして理解される。
【００２６】
つぎに本発明の光学半透過薄板ガラス２４は、対物レンズ系Ｌ１側からの入射光の透過率を高めるコーティング剤を塗布し、正立筒９の第２焦点面２９側に、下取付具１９と上取付具２０を介して望遠鏡の光軸２３方向に対して傾斜するように設置されている。
この傾斜を具体的に確保する一例としては、円筒を斜めに切断して下取付具１９と上取付具２０を構成するようにしてもよく、下取付具１９と上取付具２０により適切な傾斜角度を確保し、その傾斜面に光学半透過薄板ガラス２４を固着するようにして構成することができる。
【００２７】
上記の傾斜角度は、特定の角度である必要はないが、要は後述するＬＥＤ照明１３の照射光によって形成される照明ドットが、接眼レンズ系Ｌ３方向に効率的に反射するようにすることで、対物レンズ系Ｌ１方向には光漏れがないようにする目的から傾斜角度は決められる。
【００２８】
本発明は第２焦点面２９の近傍にＬＥＤ照明１３を備え、このＬＥＤ照明１３の照明光の光軸方向前方に、照明ドットの絞り用小孔２５を形成した調整筒１２が設置されている。
ＬＥＤ照明１３の照明光の先には照明ドットが投影される。すなわち、照明ドットの光軸２２の先で、前記光学半透過薄板ガラス２４に当接する位置が照明ドットの反射点２１であり、その反射点２１は第２焦点面２９の視準用マーク３２の中心及び絞り用小孔２５と第２焦点面の照明ドット反射像の光学的等間隔距離の基準中心点である。
【００２９】
この第２焦点面における視準用マーク３２の大きさを決定する照明ドットの直径は、照明ドットの絞り用小孔２５の直径で決定され、照明ドットの絞り用小孔２５の向きは調整筒１２の取り付け角で決まり、調整筒１２の位置合わせは、前記の上取付具２０に設置されているホルダー３０で支持されているので、このホルダー３０を上下左右に振ることで、第１焦点面の視準用マーク３１の中心に調整筒１２の位置を合わせることができる。
照明ドットの光軸２２の長さ寸法は、ネジ回転による調整筒１２の取り付け位置で、第２焦点面２９の視準用マーク３２と視差のないように調整される。
【００３０】
調整筒１２の位置合わせが完了したら、分角筒１０に取り付けたビス２６を回動させて第１焦点面２８の視準用マーク３１の中心と、第２焦点面２９の視準用マーク３２の中心の視差（パララックス）のズレを確認する。
第２焦点面の位置に、目標物３３の像と、第１焦点面のガラスレチクル４の視準用マーク３１の像と、照明ドットの像とが一致することで、第２焦点面における照明ドットを利用した照準望遠鏡のレチクル機構は完結する。
【００３１】
前記ＬＥＤ照明１３の点灯スイッチをＯＮにすると、目標物３３の像と、第１焦点面のガラスレチクル４の視準用マーク３１の像の上に、照明ドットの像が、ＬＥＤ照明１３の照明の色で表示（マーキング）され、射手はその表示を接眼レンズ１６，１７を介して見ることができる。
点灯スイッチをＯＦＦにすると、照明ドットの像を視界から消すことができる。
【００３２】
また図３に示す電源調光器３４を操作すると、コード１４を介して電池１５と接続されているＬＥＤ照明１３に流れる電流を変化させることができ、明るさの設定を最小から最大まで自由に変化させることができる。
【００３３】
照準望遠鏡の分角筒１０を回動させると、照準望遠鏡の倍率が変化し、正立レンズ系Ｌ２の低倍率時には、図４Ａに示すように、照準マーク３１の表示が縮小し、その中心が判別困難となるが、そのような状態のときに電源調光器３４を操作してＬＥＤ照明１３を点灯させると、図５に示すように、第２焦点面２９に照明ドットの反射像が第２焦点面の視準用マーク３２の中心に現われるので、低倍率時でも変わらない大きさの第２焦点面の視準用マーク３２の中心を利用して簡単に照準合わせが行えるという特徴がある（図５Ｂ参照）。
【００３４】
視準用マークの大きさを気にすることなく（特に１×のような低倍率時）、ドットサイトスコープと同様の効果が、変倍照準望遠鏡においても発揮できるという特徴がある。
【産業上の利用可能性】
【００３５】
本発明によれば、照準望遠鏡を製造したり、あるいは使用する業界において大変便利に利用することができる。
【符号の説明】
【００３６】
１  対物レンズ
２  第２対物レンズ
３  鏡筒
４  第１焦点のガラスレチクル
５  集光レンズ
６  正立レンズ
７  固定正立レンズ
８  カム筒
９  正立筒
１０  分角筒
１１  視界枠
１２  調整筒
１３  ＬＥＤ照明
１４  コード
１５  電池
１６  第２接眼レンズ
１７  接眼レンズ
１８  接眼枠
１９  下取付具
２０  上取付具
２１  照明ドットの反射点
２２  照明ドットの光軸
２３  望遠鏡の光軸
２４  光学半透過薄板ガラス
２５  照明ドットの絞り用小孔
２６  ビス
２７  接眼鏡筒
２８  第１焦点面
２９  第２焦点面
３０  ホルダー
３１  第１焦点面の視準用マーク
３２  第２焦点面の視準用マーク
３３  目標物
３４  電源調光器
Ｌ１  対物レンズ系
Ｌ２  正立レンズ系
Ｌ３  接眼レンズ系
【図１】
2015132739.tif 000003
【図２】
2015132739.tif 000004
【図３】
2015132739.tif 000005
【図４】
2015132739.tif 000006
【図５】
2015132739.tif 000007